(57)【要約】【課題】正極及び負極の電極が互いに異なる面に表出してなる回路基板との抵抗が増加することなく、かつ、ペーパー電池を折り返すことなく電源回路を形成する。【解決手段】正極及び負極の電極が互いに異なる面に表出してなるペーパー電池１を、電極と接続されるためのランド部３ａ，３ｂが形成されたシート状の回路基板に搭載し、ペーパー電池１とランド部３ａ，３ｂとによって電源回路を形成する場合、ペーパー電池１を、正極及び負極の電極のうち一方の電極が回路基板の一方の面に形成されたランド部３ａと接続されるように、ランド部３ａが形成された面に搭載するとともに、正極及び負極の電極のうち他方の電極を、回路基板に形成された切り込み４を介して、回路基板の他方の面に入り込ませ、他方の面に形成されたランド部３ｂと接続し、これにより、ペーパー電池１とランド部３ａ，３ｂとによって電源回路を形成する。【選択図】図３
2005079160.tif 000002
【特許請求の範囲】
【請求項１】
電解質層を介して正極及び負極が積層され、正極及び負極の電極が互いに異なる面に表出してなるペーパー電池が、前記電極と接続されるための導電領域が形成されたシート状の回路基板に接続されてなる電源回路であって、
前記回路基板は、前記正極及び負極の電極のうち一方の電極と接続されるための第１の導電領域と、前記正極及び負極の電極のうち他方の電極と接続されるための第２の導電領域とが互いに異なる面に形成され、
前記ペーパー電池は、前記一方の電極が前記第１の導電領域と接続されるように前記第１の導電領域が設けられた面に搭載され、かつ、前記他方の電極が前記第２の導電領域と接続されていることを特徴とする電源回路。
【請求項２】
請求項１に記載の電源回路において、
前記回路基板は、前記他方の電極が当該回路基板の表面側から裏面側に入り込むための切り込みを有し、
前記ペーパー電池は、前記他方の電極が前記切り込みを介して前記第２の導電領域が形成された面側に入り込み、前記第２の導電領域と接続されていることを特徴とする電源回路。
【請求項３】
請求項１または請求項２に記載の電源回路において、
前記回路基板は、前記第１及び第２の導電領域の組をそれぞれ複数有し、前記第１及び第２の導電領域の組数の前記ペーパー電池が、前記複数の第１及び第２の導電領域と接続されるようにそれぞれ搭載された場合に前記複数のペーパー電池が直列に接続されるように前記複数の第１及び第２の導電領域が接続されていることを特徴とする電源回路。
【請求項４】
請求項３に記載の電源回路において、
前記第１及び第２の導電領域は、複数のペーパー電池が前記複数の第１及び第２の導電領域と接続されるように前記回路基板にそれぞれ搭載された場合に前記複数のペーパー電池の少なくとも一部が互いに重なり合うように形成されていることを特徴とする電源回路。
【発明の詳細な説明】
【技術分野】
【０００１】
本発明は、シート状の回路基板上にペーパー電池が搭載されてなる電源回路に関する。
【背景技術】
【０００２】
近年、電池を電源として駆動する製品においては、小型化や多機能化を図るために電源部分の省スペース化を要求されるものが少なくなく、その要求に応えるための１つの手段として、ボタン型電池が用いられている。
【０００３】
さらに、近年においては、電解質層を介して正極及び負極が積層されてなるペーパー電池が考えられている（例えば、特許文献１参照。）。このペーパー電池においては、電解質層によって正極と負極とが仕切られており、それにより、正極及び負極のそれぞれの電極はペーパー電池の互いに異なる面に表出している。そのため、このようなペーパー電池を回路基板上に搭載して電源回路を構成する場合、正極及び負極の電極のうちいずれか一方の電極が回路基板と対向しない状態となり、回路基板と対向しない電極については、回路基板と接続するための接続端子をはんだ付け等によって接続し、この接続端子を介して回路基板と接続されることになる。ところが、このように、ペーパー電池の電極と回路基板とを接続端子を介して接続する場合、電極と回路基板との間における抵抗値が大きくなってしまう。また、そのための作業を行う必要があるため、生産性が低下し、コストアップが生じてしまう。
【０００４】
そこで、ペーパー電池の一部を折り返し、それにより、正極及び負極の電極を同一面に形成する技術が考えられている（例えば、特許文献２参照。）。この技術においては、正極及び負極が互いに異なる面に形成されたペーパー電池の一部を折り返し、このペーパー電池を、正極及び負極の一部が表出するための穴が設けられた絶縁フィルムを介して回路基板に積層し、この穴を介してペーパー電池の正極及び負極と回路基板とが接続されている。
【特許文献１】特表２０００−５０２２０６号公報
【特許文献２】特許第２８６６３８３号公報
【発明の開示】
【発明が解決しようとする課題】
【０００５】
しかしながら、上述したように、ペーパー電池の一部を折り返し、それにより、正極及び負極の電極を同一面に形成するものにおいては、ペーパー電池の一部が折り返された状態で継続して使用されることになるため、ペーパー電池を折り返さずに使用した場合と比べてペーパー電池にとっては好ましくない環境下で使用されることになってしまうという問題点がある。
【０００６】
本発明は、上述したような従来の技術が有する問題点に鑑みてなされたものであって、正極及び負極の電極が互いに異なる面に表出してなるペーパー電池がシート状の回路基板に搭載されてなる電源回路において、ペーパー電池と回路基板との抵抗が増加することなく、かつ、ペーパー電池を折り返すことなく形成されることができる電源回路を提供することを目的とする。
【課題を解決するための手段】
【０００７】
上記目的を達成するために本発明は、
電解質層を介して正極及び負極が積層され、正極及び負極の電極が互いに異なる面に表出してなるペーパー電池が、前記電極と接続されるための導電領域が形成されたシート状の回路基板に接続されてなる電源回路であって、
前記回路基板は、前記正極及び負極の電極のうち一方の電極と接続されるための第１の導電領域と、前記正極及び負極の電極のうち他方の電極と接続されるための第２の導電領域とが互いに異なる面に形成され、
前記ペーパー電池は、前記一方の電極が前記第１の導電領域と接続されるように前記第１の導電領域が設けられた面に搭載され、かつ、前記他方の電極が前記第２の導電領域と接続されていることを特徴とする。
【０００８】
また、前記回路基板は、前記他方の電極が当該回路基板の表面側から裏面側に入り込むための切り込みを有し、
前記ペーパー電池は、前記他方の電極が前記切り込みを介して前記第２の導電領域が形成された面側に入り込み、前記第２の導電領域と接続されていることを特徴とする。
【０００９】
また、前記回路基板は、前記第１及び第２の導電領域の組をそれぞれ複数有し、前記第１及び第２の導電領域の組数の前記ペーパー電池が、前記複数の第１及び第２の導電領域と接続されるようにそれぞれ搭載された場合に前記複数のペーパー電池が直列に接続されるように前記複数の第１及び第２の導電領域が接続されていることを特徴とする。
【００１０】
また、前記第１及び第２の導電領域は、複数のペーパー電池が前記複数の第１及び第２の導電領域と接続されるように前記回路基板にそれぞれ搭載された場合に前記複数のペーパー電池の少なくとも一部が互いに重なり合うように形成されていることを特徴とする。
【００１１】
上記のように構成された本発明においては、電解質層を介して正極及び負極が積層され、正極及び負極の電極が互いに異なる面に表出してなるペーパー電池を、電極と接続されるための導電領域が形成されたシート状の回路基板に接続し、ペーパー電池と導電領域とによって電源回路を形成する場合、ペーパー電池を、正極及び負極の電極のうち一方の電極が回路基板の一方の面に形成された第１の導電領域と接続されるように、第１の導電領域が形成された面に搭載するとともに、正極及び負極の電極のうち他方の電極を、他方の面に形成された第２の導電領域と接続し、これにより、ペーパー電池と第１及び第２の導電領域とによって電源回路を形成する。
【００１２】
このように、ペーパー電池の互いに異なる面に表出した正極及び負極の電極のうち一方の電極をシート状の回路基板の一方の面に形成された第１の導電領域に接続し、正極及び負極の電極のうち他方の電極を、他方の面に形成された第２の導電領域と接続し、電源回路を形成する構成としたので、ペーパー電池と回路基板との抵抗が増加せず、かつ、ペーパー電池を折り返すことなく電源回路を形成することが可能となる。
【００１３】
また、回路基板に、他方の電極が回路基板の表面側から裏面側に入り込むための切り込みを設け、ペーパー電池の他方の電極が切り込みを介して第２の導電領域が形成された面側に入り込み、第２の導電領域と接続されていれば、ペーパー電池が回路基板の端部以外に搭載される場合においても、ペーパー電池の他方の電極を切り込みを介して回路基板の他方の面に入り込ませ、第２の導電領域と接続することができる。
【００１４】
また、第１及び第２の導電領域の組がそれぞれ複数形成され、第１及び第２の導電領域の組数のペーパー電池が、複数の第１及び第２の導電領域と接続されるようにそれぞれ搭載された場合に複数のペーパー電池が直列に接続されるように複数の第１及び第２の導電領域が接続されたものにおいて、複数のペーパー電池の少なくとも一部が互いに重なり合うように第１及び第２の導電領域が形成されていれば、複数のペーパー電池が搭載される回路基板の面積を縮小することができ、コストダウンを図ることができる。
【発明の効果】
【００１５】
以上説明したように本発明においては、電解質層を介して正極及び負極が積層され、正極及び負極の電極が互いに異なる面に表出してなるペーパー電池が、電極と接続されるための導電領域が形成されたシート状の回路基板に接続されてなる電源回路において、回路基板に、正極及び負極の電極のうち一方の電極と接続されるための第１の導電領域と、正極及び負極の電極のうち他方の電極と接続されるための第２の導電領域とが互いに異なる面に形成され、ペーパー電池が、一方の電極が第１の導電領域と接続されるように第１の導電領域が設けられた面に搭載され、かつ、他方の電極が第２の導電領域と接続される構成としたため、ペーパー電池と回路基板との抵抗が増加せず、かつ、ペーパー電池を折り返すことなく電源回路を形成することができる。
【００１６】
また、回路基板が、他方の電極が回路基板の表面側から裏面側に入り込むための切り込みを有し、ペーパー電池の他方の電極が切り込みを介して第２の導電領域が形成された面側に入り込み、第２の導電領域と接続されている構成としたものにおいては、ペーパー電池が回路基板の端部以外に搭載される場合においても、ペーパー電池の他方の電極を切り込みを介して回路基板の他方の面に入り込ませ、第２の導電領域と接続することができ、それにより、ペーパー電池の回路基板への搭載領域が制限されることはない。
【００１７】
また、回路基板に、第１及び第２の導電領域の組をそれぞれ複数形成し、第１及び第２の導電領域の組数のペーパー電池が、複数の第１及び第２の導電領域と接続されるようにそれぞれ搭載された場合に複数のペーパー電池が直列に接続されるように複数の第１及び第２の導電領域が接続された構成としたものにおいては、複数のペーパー電池が直列に接続された電源回路を形成することができる。
【００１８】
また、第１及び第２の導電領域を、複数のペーパー電池が複数の第１及び第２の導電領域と接続されるように回路基板にそれぞれ搭載された場合に複数のペーパー電池の少なくとも一部が互いに重なり合うように形成したものにおいては、複数のペーパー電池が搭載される回路基板の面積を縮小することができ、コストダウンを図ることができる。
【発明を実施するための最良の形態】
【００１９】
以下に、本発明の実施の形態について図面を参照して説明する。
【００２０】
（第１の実施の形態）
図１は、本発明の電源回路に用いられるペーパー電池の実施の一形態を示す図であり、（ａ）は表面から見た図、（ｂ）は（ａ）に示したＡ−Ａ’断面図、（ｃ）は（ａ）に示したＢ−Ｂ’断面図である。
【００２１】
本形態におけるペーパー電池は図１に示すように、二酸化マンガン等からなる正極層１０と、亜鉛などからなる負極層２０とが、ゲル状の電解質層３０を介して積層されており、また、正極層１０側には、ＰＥＴ（ポリエチレンテレフタレート）等からなり、導電性インク１１が塗布された保護フィルム１２が積層され、負極層２０側には、ＰＥＴ等からなり、導電性インク２１が塗布された保護フィルム２２が積層されて構成されている。また、導電性インク１１が塗布された保護フィルム１２は、正極層１０、負極層２０及び電解質層３０の外形から突出した突出領域１３を有し、また、導電性インク２１が塗布された保護フィルム２２は、正極層１０、負極層２０及び電解質層３０の外形から突出した突出領域２３を有し、これら突出領域１３，２３は、互いに異なる領域にて正極層１０、負極層２０及び電解質層３０の外形から突出している。なお、導電性インク１１，２１は、保護フィルム１２，２２に対して正極層１０及び負極層２０側にそれぞれ塗布されているため、突出領域１３，２３にて導電性インク１１，２１が表出する面は互いに異なる面となっている。
【００２２】
上記のように構成されたペーパー電池１においては、保護フィルム１２に塗布された導電性インク１１が正極層１０と導通しているため、突出領域１３における導電性インク１１が正極の電極となり、また、保護フィルム２２に塗布された導電性インク２１が負極層２０と導通しているため、突出領域２３における導電性インク２１が負極の電極となる。
【００２３】
以下に、上述したペーパー電池１を用いた電源回路について説明する。
【００２４】
図２は、図１に示したペーパー電池１が搭載されるシート状の回路基板の第１の実施の形態を示す図であり、（ａ）はペーパー電池１が搭載される面の構成を示す図、（ｂ）は反対側の面の構成を示す図である。また、図３は、図１に示したペーパー電池１が図２に示した回路基板に搭載された電源回路の第１の実施の形態を示す図であり、（ａ）はペーパー電池１が搭載された面の構成を示す図、（ｂ）は反対側の面の構成を示す図である。
【００２５】
本形態における回路基板は図２に示すように、基板２の表面に第１の導電領域となるランド部３ａが形成され、また、基板２の裏面に第２の導電領域となるランド部３ｂが形成されており、ランド部３ａが形成された面に、このランド部３ａ，３ｂと接続されるように演算回路５が搭載されている。なお、演算回路５が搭載される面とは反対側の面に形成されたランド部３ｂにおいては、スルーホール６を介して演算回路５と接続されている。また、基板２には、基板２の演算回路５が搭載された面にペーパー電池１が搭載された場合に、ペーパー電池１の突出領域２３が入り込むための切り込み４が設けられている。
【００２６】
このように構成された回路基板に図１に示したペーパー電池１が搭載される場合、ペーパー電池１の突出領域１３が、基板２の演算回路５が搭載された面に形成されたランド部３ａと接触するように搭載され、突出領域１３とランド部３ａとが、例えば、ＡＣＦ（異方性導電性フィルム）やＡＣＰ（異方性導電性接着剤）、あるいは銀ペースト等の導電性材料を用いて接着される。また、この際、ペーパー電池１の突出領域２３が、基板２に設けられた切り込み４を介して、演算回路５が搭載された面とは反対側の面に入り込み、ランド部３ｂと接触するようになり、突出領域２３とランド部３ｂとが、例えば、ＡＣＦやＡＣＰ、あるいは銀ペースト等の導電性材料を用いて接着される。ここで、突出領域１３のランド部３ａと接触する面においては、ペーパー電池１の正極層１０と導通した導電性インク１１が塗布されているため、突出領域１３とランド部３ａとが接着されると、ペーパー電池１の正極層１０とランド部３ａとが電気的に接続されることになる。また、突出領域２３のランド部３ｂと接触する面においては、ペーパー電池１の負極層２０と導通した導電性インク２１が塗布されているため、突出領域２３とランド部３ｂとが接着されると、ペーパー電池１の負極層２０とランド部３ｂとが電気的に接続されることになる。これにより、ペーパー電池１とランド部３ａ，３ｂとによって、演算回路５に電源を供給するための電源回路が形成される。
【００２７】
以下に、上述した電源回路の製造方法について説明する。
【００２８】
図４は、図３に示した電源回路の製造方法を説明するための図である。
【００２９】
まず、複数の基板２が配列された状態において、基板２のそれぞれにランド部３ａ，３ｂをそれぞれ形成し（図４（ａ））、さらに、ランド部３ａ，３ｂに接続されるように、演算回路５を搭載する（図４（ｂ））。
【００３０】
次に、ランド部３ａ，３ｂが形成され、演算回路５が搭載された回路基板を個片状態に断裁する。この際、回路基板の断裁と同時に基板２に切り込み４を形成する（図４（ｃ））。このように、回路基板を個片状態に断裁する際に同時に基板２に切り込み４を形成するため、切り込み４を形成するための新たな工程を設ける必要はない。
【００３１】
その後、個片状態となった回路基板のそれぞれにペーパー電池１を搭載し、ランド部３ａ，３ｂとペーパー電池１の突出領域１３，２３とを接着する（図４（ｄ））。
【００３２】
（第２の実施の形態）
図５は、図１に示したペーパー電池１が搭載されるシート状の回路基板の第２の実施の形態を示す図であり、（ａ）はペーパー電池１が搭載される面の構成を示す図、（ｂ）は反対側の面の構成を示す図である。また、図６は、図１に示したペーパー電池１が図５に示した回路基板に搭載された電源回路の第２の実施の形態を示す図であり、（ａ）はペーパー電池１が搭載された面の構成を示す図、（ｂ）は反対側の面の構成を示す図である。
【００３３】
本形態における回路基板は図５に示すように、基板１０２の表面に第１の導電領域となる３つのランド部１０３ａが形成され、また、基板１０２の裏面に第２の導電領域となる３つのランド部１０３ｂが形成されており、ランド部１０３ａが形成された面に、この３つのランド部１０３ａ，１０３ｂのうち１つずつのランド部１０３ａ，１０３ｂと接続されるように演算回路１０５が搭載されている。なお、３つのランド部１０３ａのうち演算回路１０５に最も近い領域に形成されたランド部１０３ａが演算回路１０５に接続され、また、３つのランド部１０３ｂのうち演算回路１０５から最も離れた領域に形成されたランド部１０３ｂがスルーホール１０６を介して演算回路１０５に接続されている。また、ランド部１０３ａのうち、演算回路１０５から最も離れた領域に形成されたランド部１０３ａは、スルーホール１０６を介して基板１０２の裏面に導通して３つのランド部１０３ｂのうち演算回路１０５から２番目に離れた領域に形成されたランド部１０３ｂと接続され、また、ランド部１０３ａのうち、演算回路１０５から２番目に離れた領域に形成されたランド部１０３ａは、スルーホール１０６を介して基板１０２の裏面に導通して３つのランド部１０３ｂのうち演算回路１０５に最も近くに形成されたランド部１０３ｂと接続されている。また、基板１０２には、基板１０２の演算回路１０５が搭載された面に３つのペーパー電池１が搭載された場合に、３つのペーパー電池１の突出領域２３がそれぞれ入り込むための３つの切り込み１０４が設けられている。また、３つのランド部１０３ａ，１０３ｂのピッチは、基板１０２に搭載されるペーパー電池１の突出領域１３，２３が設けられた長さ方向に突出領域１３，２３を除いた長さの半分となっている。これにより、複数のペーパー電池１がランド部１０３ａ，１０３ｂと接続されるように回路基板にそれぞれ搭載された場合、複数のペーパー電池１がさしみ状に重ね合わされて構成されることになり、また、互いに重なり合う部分は２つのペーパー電池１のみが重なり合うことになる。このように、複数のペーパー電池１の一部が互いに重なり合う構成とすることにより、回路基板の面積を縮小することができ、コストダウンを図ることができるが、本形態のように、互いに重なり合う部分が２つのペーパー電池１のみが重なり合う構成とすれば、ペーパー電池１が重なり合う部分の厚さを極力薄くすることができる。
【００３４】
このように構成された回路基板に図１に示したペーパー電池１が３つ搭載される場合、３つのペーパー電池１の突出領域１３が、基板１０２の演算回路１０５が搭載された面に形成されたランド部１０３ａとそれぞれ接触するように搭載され、３つの突出領域１３とランド部１０３ａとが、例えば、ＡＣＦやＡＣＰ、あるいは銀ペースト等の導電性材料を用いてそれぞれ接着される。また、この際、３つのペーパー電池１の突出領域２３が、基板１０２に設けられた切り込み１０４を介して、演算回路１０５が搭載された面とは反対側の面に入り込み、ランド部１０３ｂと接触するようになり、３つの突出領域２３とランド部１０３ｂとが、例えば、ＡＣＦやＡＣＰ、あるいは銀ペースト等の導電性材料を用いてそれぞれ接着される。なお、３つのペーパー電池１の基板１０２への搭載及び突出領域１３とランド部１０３ａとの接着においては、演算回路１０５から離れた領域から順次行っていく。ここで、突出領域１３のランド部１０３ａと接触する面においては、ペーパー電池１の正極層１０と導通した導電性インク１１が塗布されているため、突出領域１３とランド部１０３ａとが接着されると、ペーパー電池１の正極層１０とランド部１０３ａとが電気的に接続されることになる。また、突出領域２３のランド部１０３ｂと接触する面においては、ペーパー電池１の負極層２０と導通した導電性インク２１が塗布されているため、突出領域２３とランド部１０３ｂとが接着されると、ペーパー電池１の負極層２０とランド部１０３ｂとが電気的に接続されることになる。また、ランド部１０３ａのうち、演算回路１０５から最も離れた領域に形成されたランド部１０３ａが、スルーホール１０６を介して基板１０２の裏面に導通して３つのランド部１０３ｂのうち演算回路１０５から２番目に離れた領域に形成されたランド部１０３ｂと接続され、また、ランド部１０３ａのうち、演算回路１０５から２番目に離れた領域に形成されたランド部１０３ａが、スルーホール１０６を介して基板１０２の裏面に導通して３つのランド部１０３ｂのうち演算回路１０５に最も近くに形成されたランド部１０３ｂと接続されているため、ランド部１０３ａ，１０３ｂと接続されるように３つのペーパー電池１が基板１０２上に搭載されると、この３つのペーパー電池１が直列に接続された状態となり、直列に接続された３つのペーパー電池１とランド部１０３ａ，１０３ｂとによって、演算回路１０５に電源を供給するための電源回路が形成される。
【００３５】
なお、上述した第１の実施の形態においては、ペーパー電池１の突出領域２３が、回路基板に設けられた切り込み４を介して回路基板の反対側の面に入り込み、ランド部３ｂと接続されているが、第２の実施の形態にて示した３つのペーパー電池１のうち、演算回路１０５に最も離れて設けられたペーパー電池１のように、突出領域２３が回路基板の端部にて回路基板の反対側の面に入り込み、ランド部１０３ｂと接続された少なくとも１つのペーパー電池１のみによって電源部を構成することも考えられる。
【００３６】
（第３の実施の形態）
図７は、本発明の電源回路に用いられるペーパー電池の他の実施の形態を示す図であり、（ａ）は表面から見た図、（ｂ）は（ａ）に示したＡ−Ａ’断面図、（ｃ）は（ａ）に示したＢ−Ｂ’断面図である。
【００３７】
本形態におけるペーパー電池は図７に示すように、二酸化マンガン等からなる正極層２１０と、亜鉛などからなる負極層２２０とが、ゲル状の電解質層２３０を介して積層されており、また、正極層２１０側には、ＰＥＴ等からなる保護フィルム２１２が積層され、負極層２２０側には、ＰＥＴ等からなる保護フィルム２２２が積層されて構成されている。なお、保護フィルム２１２，２２２は、一部が削除されており、それにより、正極層２１０及び負極層２２０の一部が互いに異なる面にてそれぞれ表出した表出領域２１３，２２３が形成されている。
【００３８】
上記のように構成されたペーパー電池２０１においては、正極層２１０が表出した表出領域２１３が正極の電極となり、また、負極層２２０が表出した表出領域２２３が負極の電極となる。
【００３９】
以下に、上述したペーパー電池２０１を用いた電源回路について説明する。
【００４０】
図８は、図７に示したペーパー電池２０１が搭載されるシート状の回路基板の実施の一形態を示す図であり、（ａ）はペーパー電池２０１が搭載される面の構成を示す図、（ｂ）は反対側の面の構成を示す図である。また、図９は、図７に示したペーパー電池２０１が図８に示した回路基板に搭載された、本発明の電源回路の第３の実施の形態を示す図であり、（ａ）はペーパー電池２０１が搭載された面の構成を示す図、（ｂ）は反対側の面の構成を示す図である。
【００４１】
本形態における回路基板は図８に示すように、基板２０２の表面に第１の導電領域となるランド部２０３ａが形成され、また、基板２０２の裏面に第２の導電領域となるランド部２０３ｂが形成されており、ランド部２０３ａが形成された面に、このランド部２０３ａ，２０３ｂと接続されるように演算回路２０５が搭載されている。なお、演算回路２０５が搭載される面とは反対側の面に形成されたランド部２０３ｂにおいては、スルーホール２０６を介して演算回路２０５と接続されている。また、基板２０２には、基板２０２の演算回路２０５が搭載された面にペーパー電池２０１が搭載された場合に、ペーパー電池２０１の表出領域２２３が入り込むための切り込み２０４が設けられている。
【００４２】
このように構成された回路基板に図７に示したペーパー電池２０１が搭載される場合、ペーパー電池２０１の表出領域２１３が、基板２０２の演算回路２０５が搭載された面に形成されたランド部２０３ａと接触するように搭載され、表出領域２１３とランド部２０３ａとが、例えば、ＡＣＦやＡＣＰ、あるいは銀ペースト等の導電性材料を用いて接着される。また、この際、ペーパー電池２０１の表出領域２２３が、基板２０２に設けられた切り込み２０４を介して、演算回路２０５が搭載された面とは反対側の面に入り込み、ランド部２０３ｂと接触するようになり、表出領域２２３とランド部２０３ｂとが、例えば、ＡＣＦやＡＣＰ、あるいは銀ペースト等の導電性材料を用いて接着される。ここで、表出領域２１３のランド部２０３ａと接触する面においては、ペーパー電池２０１の正極層２１０が表出しているため、表出領域２１３とランド部２０３ａとが接着されると、ペーパー電池２０１の正極層２１０とランド部２０３ａとが電気的に接続されることになる。また、表出領域２２３のランド部２０３ｂと接触する面においては、ペーパー電池２０１の負極層２２０が表出しているため、表出領域２２３とランド部２０３ｂとが接着されると、ペーパー電池２０１の負極層２２０とランド部２０３ｂとが電気的に接続されることになる。これにより、ペーパー電池２０１とランド部２０３ａ，２０３ｂとによって、演算回路２０５に電源を供給するための電源回路が形成される。
【図面の簡単な説明】
【００４３】
【図１】本発明の電源回路に用いられるペーパー電池の実施の一形態を示す図であり、（ａ）は表面から見た図、（ｂ）は（ａ）に示したＡ−Ａ’断面図、（ｃ）は（ａ）に示したＢ−Ｂ’断面図である。
【図２】図１に示したペーパー電池が搭載されるシート状の回路基板の第１の実施の形態を示す図であり、（ａ）はペーパー電池が搭載される面の構成を示す図、（ｂ）は反対側の面の構成を示す図である。
【図３】図１に示したペーパー電池が図２に示した回路基板に搭載された電源回路の第１の実施の形態を示す図であり、（ａ）はペーパー電池が搭載された面の構成を示す図、（ｂ）は反対側の面の構成を示す図である。
【図４】図３に示した電源回路の製造方法を説明するための図である。
【図５】図１に示したペーパー電池が搭載されるシート状の回路基板の第２の実施の形態を示す図であり、（ａ）はペーパー電池が搭載される面の構成を示す図、（ｂ）は反対側の面の構成を示す図である。
【図６】図１に示したペーパー電池が図５に示した回路基板に搭載された電源回路の第２の実施の形態を示す図であり、（ａ）はペーパー電池が搭載された面の構成を示す図、（ｂ）は反対側の面の構成を示す図である。
【図７】本発明の電源回路に用いられるペーパー電池の他の実施の形態を示す図であり、（ａ）は表面から見た図、（ｂ）は（ａ）に示したＡ−Ａ’断面図、（ｃ）は（ａ）に示したＢ−Ｂ’断面図である。
【図８】図７に示したペーパー電池が搭載されるシート状の回路基板の実施の一形態を示す図であり、（ａ）はペーパー電池が搭載される面の構成を示す図、（ｂ）は反対側の面の構成を示す図である。
【図９】図７に示したペーパー電池が図８に示した回路基板に搭載された、本発明の電源回路の第３の実施の形態を示す図であり、（ａ）はペーパー電池が搭載された面の構成を示す図、（ｂ）は反対側の面の構成を示す図である。
【符号の説明】
【００４４】
１，２０１    ペーパー電池
２，１０２，２０２    基板
３ａ，３ｂ，１０３ａ，１０３ｂ，２０３ａ，２０３ｂ    ランド部
４，１０４，２０４    切り込み
５，１０５，２０５    演算回路
６，１０６，２０６    スルーホール
１０，２１０    正極層
１１，２１    導電性インク
１２，２２，２１２，２２２    保護フィルム
１３，２３    突出領域
２０，２２０    負極層
３０，２３０    電解質層
２１２，２２２    保護フィルム
【図１】
2005079160.tif 000003
【図２】
2005079160.tif 000004
【図３】
2005079160.tif 000005
【図４】
2005079160.tif 000006
【図５】
2005079160.tif 000007
【図６】
2005079160.tif 000008
【図７】
2005079160.tif 000009
【図８】
2005079160.tif 000010
【図９】
2005079160.tif 000011